(57)【要約】  本開示は、チャネル状態情報報告の伝送方法及び端末を提供する。このチャネル状態情報報告の伝送方法において、ＰＵＣＣＨで伝送されるチャネル状態情報ＣＳＩ報告の割り当て規則であって、ネットワーク機器によって設定されるか又はプロトコルによって取り決められる前記割り当て規則を取得することと、少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てることと、前記一部又は全部の衝突ありＣＳＩ報告の伝送を行うこととを含む。【選択図】図１
2021514598.tif 000002
【特許請求の範囲】
【請求項１】
端末に応用されるチャネル状態情報報告の伝送方法であって、
物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得することと、
少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てることと、
前記一部又は全部の衝突ありＣＳＩ報告の伝送を行うこととを含む、チャネル状態情報報告の伝送方法。
【請求項２】
前記割り当て規則に従い、一部又は全部の衝突ありＣＳＩ報告を第１ＣＳＩ  ＰＵＣＣＨに割り当てることは、
設定されている第１ＣＳＩ  ＰＵＣＣＨの個数Ｊに基づいて、選択可能な第１ＣＳＩ  ＰＵＣＣＨの個数上限Ｎを決定することと、
設定されているＪ個の第１ＣＳＩ  ＰＵＣＣＨからＭ個の第１ＣＳＩ  ＰＵＣＣＨを選択することと、
選択されたＭ個の第１ＣＳＩ  ＰＵＣＣＨに一部又は全部の衝突ありＣＳＩ報告を割り当てることとを含み、
ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる、請求項１に記載の伝送方法。
【請求項３】
前記割り当て規則は、同一の所定期間中に端末に少なくとも２つの第１ＣＳＩ  ＰＵＣＣＨが設定された場合、少なくとも１つの第１ＣＳＩ  ＰＵＣＣＨを選択して一部又は全部の衝突ありＣＳＩ報告の割り当てを行う、請求項２に記載の伝送方法。
【請求項４】
端末に設定されたＪ個の第１ＣＳＩ  ＰＵＣＣＨのリソースサイズが同じである場合、選択されたＭ個の第１ＣＳＩ  ＰＵＣＣＨに一部又は全部の衝突ありＣＳＩ報告を割り当てることは、
選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことを含む、請求項３に記載の伝送方法。
【請求項５】
端末に設定された少なくとも２つの第１ＣＳＩ  ＰＵＣＣＨのリソースサイズが異なる場合、設定されているＪ個の第１ＣＳＩ  ＰＵＣＣＨからＭ個の第１ＣＳＩ  ＰＵＣＣＨを選択することは、
前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することを含み、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である、請求項３に記載の伝送方法。
【請求項６】
選択されたＭ個の第１ＣＳＩ  ＰＵＣＣＨに一部又は全部の衝突ありＣＳＩ報告を割り当てることは、
ＣＳＩ報告優先度に基づいて、前記少なくとも２つのＣＳＩ報告を降順に並べて第１順序を得ることと、
リソースサイズに基づいて、取得された前記Ｍ個の第１ＣＳＩ  ＰＵＣＣＨを降順に並べて第２順序を得ることと、
前記第２順序で並べられた前記Ｍ個の第１ＣＳＩ  ＰＵＣＣＨに前記少なくとも２つのＣＳＩ報告を前記第１順序で順次に割り当てることを、少なくとも２つのＣＳＩ報告の割り当てが完了するまで、又は第１ＣＳＩ  ＰＵＣＣＨがすべて占有されるまで行うこととを含む、請求項５に記載の伝送方法。
【請求項７】
一部又は全部の衝突ありＣＳＩ報告を第１ＣＳＩ  ＰＵＣＣＨに割り当てる前に、
第１ＣＳＩ  ＰＵＣＣＨの周期を取得することを更に含み、
ここで、前記周期は、ネットワーク機器によって指示されるか、又は前記少なくとも２つのＣＳＩ報告の周期の最小公倍数に基づいて端末によって決定され、
ここで、前記周期がネットワーク機器によって指示される場合、前記周期の値は、無線リソース制御ＲＲＣで設定される前記少なくとも２つのＣＳＩ報告の所定情報の周期の最小値に基づいて決定され、又は、
前記周期の値は、前記少なくとも２つのＣＳＩ報告の周期の最小公倍数に基づいてネットワーク機器によって決定され、
ここで、前記所定情報は、周期的ＣＳＩ報告設定情報又は半持続的ＣＳＩ報告設定情報を含み、
更に、前記割り当て規則に従い、一部又は全部の衝突ありＣＳＩ報告を第１ＣＳＩ  ＰＵＣＣＨに割り当てることは、
前記周期と前記割り当て規則に基づいて、一部又は全部の衝突ありＣＳＩ報告を第１ＣＳＩ  ＰＵＣＣＨに割り当てることを含む、請求項１に記載の伝送方法。
【請求項８】
第１ＣＳＩ  ＰＵＣＣＨは、複数の異なる周期の第１ＣＳＩ  ＰＵＣＣＨを含む、請求項７に記載の伝送方法。
【請求項９】
前記一部又は全部の衝突ありＣＳＩ報告の伝送が行われる場合、
第１ＣＳＩ  ＰＵＣＣＨがハイブリッド自動再送応答ＨＡＲＱ−ＡＣＫを搬送するＰＵＣＣＨと衝突すると、ＨＡＲＱ−ＡＣＫを前記第１ＣＳＩ  ＰＵＣＣＨで伝送するステップと、
前記第１ＣＳＩ  ＰＵＣＣＨが物理アップリンク共有チャネルＰＵＳＣＨと衝突すると、第１ＣＳＩ  ＰＵＣＣＨ上のＣＳＩ報告をＰＵＳＣＨで伝送するステップと、
前記第１ＣＳＩ  ＰＵＣＣＨがチャネルサウンディングリファレンスシグナルＳＲＳと衝突すると、第１ＣＳＩ  ＰＵＣＣＨによって搬送された情報、第１ＣＳＩ  ＰＵＣＣＨの周期特性、及びＳＲＳの周期特性に基づいて、第１ＣＳＩ  ＰＵＣＣＨ又はＳＲＳの伝送を決定するステップとのうちの少なくとも１つを更に含む、請求項１又は７に記載の伝送方法。
【請求項１０】
前記少なくとも２つのＣＳＩ報告の符号化方式は、
前記少なくとも２つのＣＳＩ報告を前記第１ＣＳＩ  ＰＵＣＣＨでそれぞれ符号化することと、
前記少なくとも２つのＣＳＩ報告の第１部分を統一に符号化し、前記少なくとも２つのＣＳＩ報告の第２部分を統一に符号化することとのうちの少なくとも１つを含む、請求項１に記載の伝送方法。
【請求項１１】
第１ＣＳＩ  ＰＵＣＣＨは、ＰＵＣＣＨで伝送されるＣＳＩ報告が衝突する場合に使用され、
ＰＵＣＣＨ上で伝送されるＣＳＩ報告が衝突しない場合、第１ＣＳＩ  ＰＵＣＣＨが占有するリソースは、物理アップリンク共有チャネルＰＵＳＣＨ、チャネルサウンディングリファレンスシグナルＳＲＳ又は第１ＣＳＩ  ＰＵＣＣＨ以外の他のＰＵＣＣＨに割り当てられる、請求項１又は７に記載の伝送方法。
【請求項１２】
物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得するための取得モジュールと、
少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てるための割り当てモジュールと、
前記一部又は全部の衝突ありＣＳＩ報告の伝送を行うための伝送モジュールとを含む、端末。
【請求項１３】
前記割り当てモジュールは、
設定されている第１ＣＳＩ  ＰＵＣＣＨの個数Ｊに基づいて、選択可能な第１ＣＳＩ  ＰＵＣＣＨの個数上限Ｎを決定するための決定ユニットと、
設定されているＪ個の第１ＣＳＩ  ＰＵＣＣＨからＭ個の第１ＣＳＩ  ＰＵＣＣＨを選択するための選択ユニットと、
選択されたＭ個の第１ＣＳＩ  ＰＵＣＣＨに一部又は全部の衝突ありＣＳＩ報告を割り当てるための割り当てユニットとを含み、
ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる、請求項１２に記載の端末。
【請求項１４】
前記割り当て規則は、同一の所定期間中に端末に少なくとも２つの第１ＣＳＩ  ＰＵＣＣＨが設定された場合、少なくとも１つの第１ＣＳＩ  ＰＵＣＣＨを選択して一部又は全部の衝突ありＣＳＩ報告の割り当てを行う、請求項１３に記載の端末。
【請求項１５】
端末に設定されたＪ個の第１ＣＳＩ  ＰＵＣＣＨのリソースサイズが同じである場合、前記選択ユニットは、
選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことに用いられる、請求項１４に記載の端末。
【請求項１６】
端末に設定された少なくとも２つの第１ＣＳＩ  ＰＵＣＣＨのリソースサイズが異なる場合、前記選択ユニットは、
前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することに用いられ、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である、請求項１４に記載の端末。
【請求項１７】
前記割り当てユニットは、
ＣＳＩ報告優先度に基づいて、前記少なくとも２つのＣＳＩ報告を降順に並べて第１順序を得ることと、
リソースサイズに基づいて、取得された前記Ｍ個の第１ＣＳＩ  ＰＵＣＣＨを降順に並べて第２順序を得ることと、
前記第２順序で並べられた前記Ｍ個の第１ＣＳＩ  ＰＵＣＣＨに前記少なくとも２つのＣＳＩ報告を前記第１順序で順次に割り当てることを、少なくとも２つのＣＳＩ報告の割り当てが完了するまで、又は第１ＣＳＩ  ＰＵＣＣＨがすべて占有されるまで行うこととに用いられる、請求項１６に記載の端末。
【請求項１８】
第１ＣＳＩ  ＰＵＣＣＨの周期を取得するための周期取得モジュールを更に含み、
ここで、前記周期は、ネットワーク機器によって指示されるか、又は前記少なくとも２つのＣＳＩ報告の周期の最小公倍数に基づいて端末によって決定され、
ここで、前記周期がネットワーク機器によって指示される場合、前記周期の値は、無線リソース制御ＲＲＣで設定される前記少なくとも２つのＣＳＩ報告の所定情報の周期の最小値に基づいて決定され、又は、
前記周期の値は、前記少なくとも２つのＣＳＩ報告の周期の最小公倍数に基づいてネットワーク機器によって決定され、
ここで、前記所定情報は、周期的ＣＳＩ報告設定情報又は半持続的ＣＳＩ報告設定情報を含み、
更に、前記割り当てモジュールは、
前記周期と前記割り当て規則に基づいて、一部又は全部の衝突ありＣＳＩ報告を第１ＣＳＩ  ＰＵＣＣＨに割り当てることに用いられる、請求項１２に記載の端末。
【請求項１９】
第１ＣＳＩ  ＰＵＣＣＨは、複数の異なる周期の第１ＣＳＩ  ＰＵＣＣＨを含む、請求項１８に記載の端末。
【請求項２０】
前記一部又は全部の衝突ありＣＳＩ報告の伝送が行われる場合、
第１ＣＳＩ  ＰＵＣＣＨがハイブリッド自動再送応答ＨＡＲＱ−ＡＣＫを搬送するＰＵＣＣＨと衝突すると、ＨＡＲＱ−ＡＣＫを前記第１ＣＳＩ  ＰＵＣＣＨで伝送するための第１実行モジュールと、
前記第１ＣＳＩ  ＰＵＣＣＨが物理アップリンク共有チャネルＰＵＳＣＨと衝突すると、第１ＣＳＩ  ＰＵＣＣＨ上のＣＳＩ報告をＰＵＳＣＨで伝送するための第２実行モジュールと、
前記第１ＣＳＩ  ＰＵＣＣＨがチャネルサウンディングリファレンスシグナルＳＲＳと衝突すると、第１ＣＳＩ  ＰＵＣＣＨによって搬送された情報、第１ＣＳＩ  ＰＵＣＣＨの周期特性、及びＳＲＳの周期特性に基づいて、第１ＣＳＩ  ＰＵＣＣＨ又はＳＲＳの伝送を決定するための第３実行モジュールとのうちの少なくとも１つを更に含む、請求項１２又は１８に記載の端末。
【請求項２１】
前記少なくとも２つのＣＳＩ報告の符号化方式は、
前記少なくとも２つのＣＳＩ報告を前記第１ＣＳＩ  ＰＵＣＣＨでそれぞれ符号化することと、
前記少なくとも２つのＣＳＩ報告の第１部分を統一に符号化し、前記少なくとも２つのＣＳＩ報告の第２部分を統一に符号化することとのうちの少なくとも１つを含む、請求項１２に記載の端末。
【請求項２２】
第１ＣＳＩ  ＰＵＣＣＨは、ＰＵＣＣＨで伝送されるＣＳＩ報告が衝突する場合に使用され、
ＰＵＣＣＨ上で伝送されるＣＳＩ報告が衝突しない場合、第１ＣＳＩ  ＰＵＣＣＨが占有するリソースは、物理アップリンク共有チャネルＰＵＳＣＨ、チャネルサウンディングリファレンスシグナルＳＲＳ又は第１ＣＳＩ  ＰＵＣＣＨ以外の他のＰＵＣＣＨに割り当てられる、請求項１２又は１８に記載の端末。
【請求項２３】
プロセッサと、メモリと、前記メモリに記憶され、前記プロセッサで動作可能なコンピュータプログラムを含む端末であって、
前記コンピュータプログラムが前記プロセッサによって実行されると、請求項１〜１１のいずれか１項に記載のチャネル状態情報報告の伝送方法のステップが実現される、端末。
【請求項２４】
コンピュータプログラムが記憶されているコンピュータ読み取り可能な記憶媒体であって、
前記コンピュータプログラムがプロセッサによって実行されると、請求項１〜１１のいずれか１項に記載のチャネル状態情報報告の伝送方法のステップが実現される、コンピュータ読み取り可能な記憶媒体。
【発明の詳細な説明】
【技術分野】
【０００１】
本願は、２０１８年２月１２日に中国特許庁に提出された中国特許出願２０１８１０１４７６２０．６の優先権を主張し、その全ての内容が援用によりここに取り込まれる。
本開示は、通信技術分野に係り、特にチャネル状態情報報告の伝送方法及び端末に係る。
【背景技術】
【０００２】
チャネル状態情報ＣＳＩ（Ｃｈａｎｎｅｌ  Ｓｔａｔｅ  Ｉｎｆｏｒｍａｔｉｏｎ）報告は、一般に、以下のように設定される。
１）周期的ＣＳＩ報告Ｐ−ＣＳＩ（Ｐｅｒｓｉｓｔｅｎｔ  ＣＳＩ）：物理アップリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）のみで伝送される。
２）半持続的ＣＳＩ報告ＳＰ−ＣＳＩ（Ｓｅｍｉ−Ｐｅｒｓｉｓｔｅｎｔ  ＣＳＩ）：ＰＵＣＣＨ又は物理アップリンク共有チャネルＰＵＳＣＨ（Ｐｈｙｓｉｃａｌ  Ｕｐｌｉｎｋ  Ｓｈａｒｅｄ  Ｃｈａｎｎｅｌ）で伝送される。
３）非周期的ＣＳＩ報告（ＡＰ−ＣＳＩ）：ＰＵＳＣＨのみで伝送される。
【０００３】
優先度の規定：同一搬送波で２つのＣＳＩ報告に使用されるＰＵＣＣＨリソースが時間領域で少なくとも１つの直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで重なる場合、この２つのＣＳＩ報告が衝突する。各ＣＳＩ報告は、１つの優先度値に対応し、ＣＳＩ報告の衝突が発生する場合や、上り伝送リソースが限られている場合、端末は、優先度値が高い（又は低い）一部のＣＳＩ報告を送信しない。
【０００４】
このように、従来技術では、ＰＵＣＣＨに基づくＣＳＩ報告が複数衝突した場合、各ＣＳＩ報告の優先度に従って破棄されるため、ネットワーク側で一部のＣＳＩ報告の取得に間に合わなかったり、ＣＳＩ報告が欠落したりする可能性がある。
【発明の概要】
【発明が解決しようとする課題】
【０００５】
本開示の実施例は、ＰＵＣＣＨに基づくＣＳＩ報告が複数衝突した場合にＣＳＩ報告を破棄することによって、ネットワーク側でＣＳＩ報告の取得に間に合わなかったり、ＣＳＩ報告が欠落したりするという問題を解決するために、チャネル状態情報報告の伝送方法及び端末を提供する。
【０００６】
第１方面において、本開示の実施例は、端末に応用されるチャネル状態情報報告の伝送方法を提供し、物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得することと、少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てることと、前記一部又は全部の衝突ありＣＳＩ報告の伝送を行うこととを含む。
【０００７】
第２方面において、本開示の実施例は、物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得するための取得モジュールと、少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てるための割り当てモジュールと、前記一部又は全部の衝突ありＣＳＩ報告の伝送を行うための伝送モジュールとを含む端末を提供する。
【０００８】
第３方面において、本開示の実施例は、プロセッサと、メモリと、前記メモリに記憶され、前記プロセッサで動作可能なコンピュータプログラムを含む端末を提供し、前記コンピュータプログラムが前記プロセッサによって実行されると、上記のチャネル状態情報報告の伝送方法のステップが実現される。
【０００９】
第４方面において、本開示の実施例は、コンピュータプログラムが記憶されているコンピュータ読み取り可能な記憶媒体を提供し、前記コンピュータプログラムがプロセッサによって実行されると、上記のチャネル状態情報報告の伝送方法のステップが実現される。
【発明の効果】
【００１０】
上記手段において、前記チャネル状態情報報告の伝送方法は、物理アップリンク制御チャネルＰＵＣＣＨで伝送されるチャネル状態情報ＣＳＩ報告の割り当てルールを取得し、少なくとも２つのＣＳＩ報告に衝突ありの場合、前記割り当てルールに従い、一部又は全部の衝突ありＣＳＩ報告を第１ＣＳＩ  ＰＵＣＣＨに割り当て、前記一部又は全部の衝突ありＣＳＩ報告の伝送を行う。これによって、単に各ＣＳＩ報告の優先度に従って破棄するのではなく、ネットワーク機器によって設定された複数のｍｕｌｔｉ−ＣＳＩ  ＰＵＣＣＨのうちの少なくとも１つに、衝突ありのＰＵＣＣＨに基づく複数のＣＳＩ報告を割り当て規則に従って正しく割り当てることができる。また、ネットワーク側で一部のＣＳＩ報告の取得に間に合わなかったり欠落したりすることをある程度回避することができ、従来技術ではＰＵＣＣＨに基づくＣＳＩ報告が複数衝突した場合にＣＳＩ報告を破棄することによって、ネットワーク側でＣＳＩ報告の取得に間に合わなかったり、ＣＳＩ報告が欠落したりするという問題を解決し、ネットワーク通信の信頼性を保証する。
【図面の簡単な説明】
【００１１】
【図１】本開示の実施例に係るチャネル状態情報報告の伝送方法のフローチャートである。
【図２】本開示の実施例に係る端末のモジュール図である。
【図３】本開示の実施例に係る端末の構造ブロック図である。
【発明を実施するための形態】
【００１２】
本開示の目的、技術手段及び利点をより明確にするために、以下、図面及び具体的な実施例を通じて本開示を詳細に記載する。
【００１３】
以下、まず、本開示の従来技術を簡単に説明する。
【００１４】
同一搬送波で２つのＣＳＩ報告に使用されるＰＵＣＣＨリソースが時間領域で少なくとも１つのＯＦＤＭシンボルで重なる場合、この２つのＣＳＩ報告が衝突する。各ＣＳＩ報告は、１つの優先度値に対応し、ＣＳＩ報告の衝突が発生する場合や、上り伝送リソースが限られている場合、ＵＥは、より低い優先度の一部のＣＳＩ報告を送信しない。例えば、ＣＳＩ優先度は、まず、規則１に基づいて優先度が決定され、規則１に従って得られた優先度が等しい場合、規則２に基づいて優先度が決定される、などである。
【００１５】
規則１：時間領域挙動／チャネルタイプ（ＡＰ−ＣＳＩ＞ＳＰ−ＣＳＩ  ｏｎ  ＰＵＳＣＨ＞ＳＰ−ＣＳＩ  ｏｎ  ＰＵＣＣＨ＞Ｐ−ＣＳＩ）に基づく。
規則２〜４：ＰＵＣＣＨに基づいて伝送するＰ−ＣＳＩとＳＰ−ＣＳＩのみに適用する。
規則２：ＣＳＩコンテンツ（Ｂｅａｍ  ｒｅｐｏｒｔｓ＞ＣＳＩ）。
規則３：ｃｅｌｌＩＤ（ＰＣｅｌｌ＞ＰＳＣｅｌｌ＞昇順に並べられた他のｃｅｌｌ  ＩＤ）。
規則４：ｃｓｉＲｅｐｏｒｔＩＤ（昇順で並べられる）。
【００１６】
ＣＳＩ報告は、Ｔｙｐｅ  ＩとＴｙｐｅ  ＩＩとに分けられる。
１）Ｔｙｐｅ  ＩのＣＳＩ報告は、最大で２つの部分に分けられる。
Ｐａｒｔ１は、ランク指示ＲＩ（Ｒａｎｄ  Ｉｎｄｉｃａｔｏｒ）／チャネル状態情報基準信号リソース指示ＣＲＩ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ  Ｒｅｓｏｕｒｃｅ  Ｉｎｄｉｃａｔｏｒ）、第１コードワードのチャネル品質指示ＣＱＩ（Ｃｈａｎｎｅｌ  Ｑｕａｌｉｔｙ  Ｉｎｄｉｃａｔｏｒ）を含む。
Ｐａｒｔ２は、プリコーディングマトリクス指示ＰＭＩ（Ｐｒｅｃｏｄｉｎｇ  Ｍａｔｒｉｘ  Ｉｎｄｉｃａｔｏｒ）、及びＲＩ＞４の場合に第２コードワードのＣＱＩを含む。
２）Ｔｙｐｅ  ＩＩのＣＳＩ報告は、最大で２つの部分に分けられる。
Ｐａｒｔ１は、Ｐａｒｔ２のビット長を示す固定ペイロード長を有し、ＲＩ、ＣＱＩ及びレイヤ当たり非ゼロ広帯域振幅係数（ｎｏｎ−ｚｅｒｏ ｗｉｄｅｂａｎｄ ａｍｐｌｉｔｕｄｅ ｃｏｅｆｆｉｃｉｅｎｔｓ ｐｅｒ ｌａｙｅｒ）の数を含む。
Ｐａｒｔ２は、Ｔｙｐｅ  ＩＩのＰＭＩを含む。
【００１７】
Ｔｙｐｅ  ＩとＴｙｐｅ  ＩＩのＣＳＩ報告の他に、ビーム管理のためのビーム情報報告「ＣＲＩ／ＲＳＲＰ（Ｒｅｆｅｒｅｎｃｅ  Ｓｉｇｎａｌ  Ｒｅｃｅｉｖｅｄ  Ｐｏｗｅｒ）」と「ＳＳＢＲＩ／ＲＳＲＰ」などがあり、このときのＣＳＩ報告は、１つの部分しかない。
【００１８】
ＮＲでは、ＰＵＣＣＨに基づく複数のＣＳＩ報告を搬送するために、ユーザ機器ＵＥ（Ｕｓｅｒ  Ｅｑｕｉｐｍｅｎｔ）に対し各帯域幅部分ＢＷＰ（Ｂａｎｄ  Ｗｉｄｔｈ  Ｐａｒｔ）にＪ（Ｊ≧１）個の第１ＣＳＩ  ＰＵＣＣＨリソース（又は、マルチＣＳＩ  ＰＵＣＣＨ（ｍｕｌｔｉ−ＣＳＩ  ＰＵＣＣＨ）と呼ばれる）を設定することをサポートし、このＰＵＣＣＨリソースの設定では、ＰＵＣＣＨ  Ｆｏｒｍａｔ２／３／４及び最大符号化率を含む。ＰＵＣＣＨに基づくＣＳＩ報告が２つ以上衝突する場合、端末は、優先度の高いＣＳＩ報告の一部又は全部をマルチＣＳＩ  ＰＵＣＣＨで送信し、残りのＣＳＩ報告を破棄する。送信可能なＣＳＩ報告の数は、マルチＣＳＩ  ＰＵＣＣＨに設定した符号化率によって決定される。
【００１９】
従って、ネットワーク側は、複数のＣＳＩ報告を搬送可能な１つ又は複数の第１ＣＳＩ  ＰＵＣＣＨを設定可能であり、衝突が発生すると、ＰＵＣＣＨに基づく複数のＣＳＩ報告は、単に破棄されるのではなく、この第１ＣＳＩ  ＰＵＣＣＨで伝送される。
【００２０】
本開示は、ＰＵＣＣＨに基づくＣＳＩ報告が複数衝突した場合にＣＳＩ報告を破棄することによって、ネットワーク側でＣＳＩ報告の取得に間に合わなかったり、ＣＳＩ報告が欠落したりするという問題に対し、チャネル状態情報報告の伝送方法及び端末を提供する。
【００２１】
具体的には、図１に示すように、本開示の実施例に係る端末に応用されるチャネル状態情報報告の伝送方法は、物理アップリンク制御チャネルＰＵＣＣＨで伝送されるチャネル状態情報ＣＳＩ報告の割り当てルールであって、ネットワーク機器によって設定されるか又はプロトコルによって取り決められる前記割り当てルールを取得するステップ１０１と、少なくとも２つのＣＳＩ報告に衝突ありの場合、前記割り当てルールに従い、一部又は全部の衝突ありＣＳＩ報告を、一部又は全部の衝突ありＣＳＩ報告を伝送するための第１ＣＳＩ  ＰＵＣＣＨ（すなわち、上記のマルチＣＳＩ  ＰＵＣＣＨを指す。）に割り当てるステップ１０２と、前記一部又は全部の衝突ありＣＳＩ報告の伝送を行うステップ１０３とを含む。
【００２２】
本開示の実施例による前記チャネル状態情報報告の伝送方法は、物理アップリンク制御チャネルＰＵＣＣＨで伝送されるチャネル状態情報ＣＳＩ報告の割り当てルールを取得し、少なくとも２つのＣＳＩ報告に衝突ありの場合、前記割り当てルールに従い、一部又は全部の衝突ありＣＳＩ報告を第１ＣＳＩ  ＰＵＣＣＨに割り当て、前記一部又は全部の衝突ありＣＳＩ報告の伝送を行う。これによって、単に各ＣＳＩ報告の優先度に従って１つの高優先度のＣＳＩ報告を送信して他の低優先度のＣＳＩ報告を破棄するのではなく、ネットワーク機器によって設定された複数のｍｕｌｔｉ−ＣＳＩ  ＰＵＣＣＨのうちの少なくとも１つに、衝突ありのＰＵＣＣＨに基づく複数のＣＳＩ報告を割り当て規則に従って正しく割り当てることができる。また、ネットワーク側で一部のＣＳＩ報告の取得に間に合わなかったり欠落したりすることをある程度回避することができ、従来技術ではＰＵＣＣＨに基づくＣＳＩ報告が複数衝突した場合にＣＳＩ報告を破棄することによって、ネットワーク側でＣＳＩ報告の取得に間に合わなかったり、ＣＳＩ報告が欠落したりするという問題を解決し、ネットワーク通信の信頼性を保証する。
【００２３】
具体的には、前記割り当て規則に従い、一部又は全部の衝突ありＣＳＩ報告を第１ＣＳＩ  ＰＵＣＣＨに割り当てることは、設定されている第１ＣＳＩ  ＰＵＣＣＨの個数Ｊに基づいて、選択可能な第１ＣＳＩ  ＰＵＣＣＨの個数上限Ｎを決定することと、設定されているＪ個の第１ＣＳＩ  ＰＵＣＣＨからＭ個の第１ＣＳＩ  ＰＵＣＣＨを選択することと、選択されたＭ個の第１ＣＳＩ  ＰＵＣＣＨに一部又は全部の衝突ありＣＳＩ報告を割り当てることとを含む。ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる。
【００２４】
ここで、前記割り当て規則は、同一の所定期間中に端末に少なくとも２つの第１ＣＳＩ  ＰＵＣＣＨが設定された場合、少なくとも１つの第１ＣＳＩ  ＰＵＣＣＨを選択して一部又は全部の衝突ありＣＳＩ報告の割り当てを行う。
【００２５】
所定期間は、具体的には、１つのスロットである。
【００２６】
端末に設定されたＪ個の第１ＣＳＩ  ＰＵＣＣＨのリソースサイズが同一であり、又は異なることに対し、本開示の実施例は、以下の２つの例を提供する。
【００２７】
例１：端末に設定されたＪ個の第１ＣＳＩ  ＰＵＣＣＨのリソースサイズが同じである場合、選択されたＭ個の第１ＣＳＩ  ＰＵＣＣＨに一部又は全部の衝突ありＣＳＩ報告を割り当てることは、選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことを含む。
【００２８】
具体的には、端末に設定されたＪ個の第１ＣＳＩ  ＰＵＣＣＨの時間領域リソースは、異なり、すなわち、複数の第１ＣＳＩ  ＰＵＣＣＨは、異なる時間領域ＯＦＤＭシンボルを占有する。リソースサイズが同じであることは、任意の２つの第１ＣＳＩ  ＰＵＣＣＨが占有するＲＥ数が同じであること、すなわち、占有するＯＦＤＭシンボル数と周波数領域サブキャリア数との積が同じであることを意味する。
【００２９】
例２：端末に設定された少なくとも２つの第１ＣＳＩ  ＰＵＣＣＨのリソースサイズが異なる場合、設定されているＪ個の第１ＣＳＩ  ＰＵＣＣＨからＭ個の第１ＣＳＩ  ＰＵＣＣＨを選択することは、前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することを含み、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である。
【００３０】
具体的には、端末に設定されたＪ個の第１ＣＳＩ  ＰＵＣＣＨの時間領域リソースは異なり、すなわち、複数の第１ＣＳＩ  ＰＵＣＣＨは、異なる時間領域ＯＦＤＭシンボルを占有する。リソースサイズが異なることは、任意の２つの第１ＣＳＩ  ＰＵＣＣＨが占有するＲＥ数が異なること、すなわち、占有するＯＦＤＭシンボル数と周波数領域サブキャリア数との積が異なることを意味する。
【００３１】
対応して、選択されたＭ個の第１ＣＳＩ  ＰＵＣＣＨに一部又は全部の衝突ありＣＳＩ報告を割り当てることは、ＣＳＩ報告優先度に基づいて、前記少なくとも２つのＣＳＩ報告を降順に並べて第１順序を得ることと、リソースサイズに基づいて、取得された前記Ｍ個の第１ＣＳＩ  ＰＵＣＣＨを降順に並べて第２順序を得ることと、前記第２順序で並べられた前記Ｍ個の第１ＣＳＩ  ＰＵＣＣＨに前記少なくとも２つのＣＳＩ報告を前記第１順序で順次に割り当てることを、少なくとも２つのＣＳＩ報告の割り当てが完了するまで、又は第１ＣＳＩ  ＰＵＣＣＨがすべて占有されるまで行うこととを含む。
【００３２】
すなわち、任意選択で１つの第１ＣＳＩ  ＰＵＣＣＨを占有し、前記少なくとも２つのＣＳＩ報告を収納できなければ、２番目の第１ＣＳＩ  ＰＵＣＣＨを占有する。前記少なくとも２つのＣＳＩ報告は、優先度の高い方が先に割り当てられる。このように、前記少なくとも２つのＣＳＩ報告が割り当てられるまで、又は、選択されたＭ個の第１ＣＳＩ  ＰＵＣＣＨが満杯（すべて占有される）になるまで行われる。
【００３３】
すなわち、本開示の実施例の手段として、ネットワーク機器は、Ｊ個の第１ＣＳＩ  ＰＵＣＣＨリソースを設定可能であるが、１つのスロット内で最大でＮ（Ｎ≧１）個の第１ＣＳＩ  ＰＵＣＣＨを使用して伝送することができる。設定されたＪ個の第１ＣＳＩ  ＰＵＣＣＨのリソース（時間領域）は、異なり、リソースサイズは、同じであるか、又は異なる。衝突ありＣＳＩ報告の数をＫとする。
【００３４】
（例えばネットワーク機器によって設定される）所定規則に基づいて、伝送可能なＸ個のＣＳＩ報告（Ｘは、１以上且つＫ以下）をＭ（１≦Ｍ≦Ｎ）個の第１ＣＳＩ  ＰＵＣＣＨに割り当てる。Ｊ個の第１ＣＳＩ  ＰＵＣＣＨのリソースサイズが異なる場合、Ｍ個の第１ＣＳＩ  ＰＵＣＣＨリソースの合計がＫ個のＣＳＩ報告に必要なリソースに最も近く、Ｍが最小となる複数の第１ＣＳＩ  ＰＵＣＣＨリソースを選択する。具体的には、衝突ありのＫ個のＣＳＩ報告を（例えば優先度で）並べる。
【００３５】
１）まず、Ｋ個のＣＳＩ報告に必要なリソースを収納できる最小リソースサイズを有する第１ＣＳＩ  ＰＵＣＣＨを探す。このような第１ＣＳＩ  ＰＵＣＣＨが１つ見つかった場合、Ｍ＝１になる。そうでなければ、ＣＳＩ報告順に従って、最大リソースの第１ＣＳＩ  ＰＵＣＣＨに割り当てる。リソースサイズが最大である第１ＣＳＩ  ＰＵＣＣＨは、Ｘ１（Ｘ１＜Ｋ）個のＣＳＩ報告を収納できると仮定する。Ｎ＝１、Ｍ＝Ｎであれば終了し、そうでなければ２）を実行する。
２）残りのＫ−Ｘ１個のＣＳＩ報告に必要なリソースを収納できる最小リソースサイズを有する第１ＣＳＩ  ＰＵＣＣＨを引き続き探す。そのような第１ＣＳＩ  ＰＵＣＣＨが１つ見つかれば、Ｍ＝２になる。そうでなければ、ＣＳＩ報告順に従って、残りの最大リソースの第１ＣＳＩ  ＰＵＣＣＨに割り当てる。Ｘ２（Ｘ２＜Ｋ−Ｘ１）個のＣＳＩ報告を収納可能であるとする。Ｎ＝２、Ｍ＝Ｎであれば終了し、そうでなければ３）を実行する。
３）残りのＫ−Ｘ１−Ｘ２個のＣＳＩ報告は、Ｋ個のＣＳＩ報告が割り当てられるまで、又は第１ＣＳＩ  ＰＵＣＣＨが満杯になる（すなわちＭ＝Ｎ）まで、そのような進行で割り当てられる。
【００３６】
更に、一部又は全部の衝突ありＣＳＩ報告を第１ＣＳＩ  ＰＵＣＣＨに割り当てる前に、前記伝送方法は、第１ＣＳＩ  ＰＵＣＣＨの周期を取得することを更に含む。ここで、前記周期は、ネットワーク機器によって指示されるか、又は前記少なくとも２つのＣＳＩ報告の周期の最小公倍数に基づいて端末によって決定される。ここで、前記周期がネットワーク機器によって指示される場合、前記周期の値は、無線リソース制御ＲＲＣで設定される前記少なくとも２つのＣＳＩ報告の所定情報の周期の最小値に基づいて決定される。又は、前記周期の値は、前記少なくとも２つのＣＳＩ報告の周期の最小公倍数に基づいてネットワーク機器によって決定される。ここで、前記所定情報は、周期的ＣＳＩ報告設定情報又は半持続的ＣＳＩ報告設定情報を含む。更に、前記割り当て規則に従い、一部又は全部の衝突ありＣＳＩ報告を第１ＣＳＩ  ＰＵＣＣＨに割り当てることは、前記周期と前記割り当て規則に基づいて、一部又は全部の衝突ありＣＳＩ報告を第１ＣＳＩ  ＰＵＣＣＨに割り当てることを含む。
【００３７】
なお、本開示の実施例において、マルチＣＳＩ  ＰＵＣＣＨの周期は、ＲＲＣ又はメディアアクセス制御レイヤ制御ユニット（ＭＡＣ  ＣＥ）によって明示的に設定されるか、又は暗黙的に取得される。
【００３８】
１）明示的な設定
１−１）ＲＲＣで設定されるすべてのＰ−ＣＳＩ  ｒｅｐｏｒｔ  ｓｅｔｔｉｎｇ又はＳＰ−ＣＳＩ  ｒｅｐｏｒｔ  ｓｅｔｔｉｎｇの最小周期値で決定される。
１−２）暗黙的な取得
１−２−１）衝突ありのＰＵＣＣＨに基づく各ＣＳＩ報告の周期の最小公倍数に基づいて、１つのマルチＣＳＩ  ＰＵＣＣＨの周期を決定する。
【００３９】
本開示の実施例では、周期は、設定されなくてもいい。ＰＵＣＣＨに基づくＣＳＩ報告の衝突が発生する限り、マルチＣＳＩ  ＰＵＣＣＨ（衝突は、非均一である可能性が高い）が使用される。
【００４０】
本開示の実施例において、第１ＣＳＩ  ＰＵＣＣＨは、複数の異なる周期の第１ＣＳＩ  ＰＵＣＣＨを含んでもいい。
【００４１】
第１ＣＳＩ  ＰＵＣＣＨがＰＵＣＣＨ、ＰＵＳＣＨ、ＳＲＳと衝突するときの挙動を考慮すると、本開示の実施例において、前記一部又は全部の衝突ありＣＳＩ報告の伝送が行われる場合、前記伝送方法は、以下のステップのうちの少なくとも１つを更に含む。
第１ＣＳＩ  ＰＵＣＣＨがハイブリッド自動再送応答ＨＡＲＱ−ＡＣＫを搬送するＰＵＣＣＨと衝突すると、ＨＡＲＱ−ＡＣＫを前記第１ＣＳＩ  ＰＵＣＣＨで伝送する。
前記第１ＣＳＩ  ＰＵＣＣＨが物理アップリンク共有チャネルＰＵＳＣＨと衝突すると、第１ＣＳＩ  ＰＵＣＣＨ上のＣＳＩ報告をＰＵＳＣＨで伝送する（すなわち、マルチＣＳＩ  ＰＵＣＣＨは、ＰＵＳＣＨに乗せて（ｐｉｇｇｙｂａｃｋ）送信される）。
前記第１ＣＳＩ  ＰＵＣＣＨがチャネルサウンディングリファレンスシグナルＳＲＳ（Ｓｏｕｎｄｉｎｇ  Ｒｅｆｅｒｅｎｃｅ  Ｓｉｇｎａｌ）と衝突すると、第１ＣＳＩ  ＰＵＣＣＨによって搬送された情報、第１ＣＳＩ  ＰＵＣＣＨの周期特性、及びＳＲＳの周期特性に基づいて、第１ＣＳＩ  ＰＵＣＣＨ又はＳＲＳの伝送を決定する。
【００４２】
すなわち、本開示の実施例において、マルチＣＳＩ  ＰＵＣＣＨがＰＵＣＣＨ、ＰＵＳＣＨ、ＳＲＳとの衝突するときの挙動も定義する。マルチＣＳＩ  ＰＵＣＣＨが送信される場合、
１）マルチＣＳＩ  ＰＵＣＣＨが、ハイブリッド自動再送要求確認ＨＡＲＱ−ＡＣＫ（Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ）を搬送するＰＵＣＣＨと衝突すると、ＨＡＲＱ−ＡＣＫ情報は、マルチＣＳＩ  ＰＵＣＣＨで伝送される。
２）マルチＣＳＩ  ＰＵＣＣＨがＰＵＳＣＨと衝突すると、マルチＣＳＩ  ＰＵＣＣＨは、ＰＵＳＣＨに乗せて（ｐｉｇｇｙｂａｃｋ）送信される。
３）マルチＣＳＩ  ＰＵＣＣＨがＳＲＳと衝突すると、ＰＵＣＣＨとＳＲＳの多重化原則（ＰＵＣＣＨによって搬送された情報と周期特性、及びＳＲＳの周期特性に基づいて決定される）に従って処理される。
【００４３】
リソースの利用率を向上させるために、第１ＣＳＩ  ＰＵＣＣＨは、ＰＵＣＣＨで伝送されるＣＳＩ報告が衝突する場合に使用され、ＰＵＣＣＨ上で伝送されるＣＳＩ報告が衝突しない場合、第１ＣＳＩ  ＰＵＣＣＨが占有するリソースは、物理アップリンク共有チャネルＰＵＳＣＨ、チャネルサウンディングリファレンスシグナルＳＲＳ又は第１ＣＳＩ  ＰＵＣＣＨ以外の他のＰＵＣＣＨに割り当てられる。
【００４４】
すなわち、マルチＣＳＩ  ＰＵＣＣＨは、ＰＵＣＣＨに基づくＣＳＩ報告が衝突する場合にのみ使用され、衝突がない場合にマルチＣＳＩ  ＰＵＣＣＨが占有するリソースは、他のＰＵＣＣＨ又はＰＵＳＣＨ又はＳＲＳに割り当てられる。
【００４５】
具体的には、本開示の実施例において、前記少なくとも２つのＣＳＩ報告の符号化方式は、以下の方式のうちの少なくとも１つを含む。
前記少なくとも２つのＣＳＩ報告を前記第１ＣＳＩ  ＰＵＣＣＨでそれぞれ符号化する。
前記少なくとも２つのＣＳＩ報告の第１部分を統一に符号化し、前記少なくとも２つのＣＳＩ報告の第２部分を統一に符号化する。
【００４６】
すなわち、本開示の実施例において、前記少なくとも２つのＣＳＩ報告（具体的には、伝送可能なＣＳＩ報告を指す）の符号化方式は、以下の方式のうちの少なくとも１つである。
１）伝送可能なすべてのＣＳＩ報告の符号化方式は、依然として、それぞれのオリジナルＰＵＣＣＨの符号化方式に従う。
ここで、依然としてそれぞれのオリジナルＰＵＣＣＨの符号化方式に従うことは、具体的には、ＣＳＩ  ｐａｒｔ１とＣＳＩ  ｐａｒｔ２（もしあれば）がそれぞれ符号化し、且つ３  ｂｉｔ＜ＣＳＩ  ｐａｒｔ１又はＣＳＩ  ｐａｒｔ２＜１１  ｂｉｔの場合、ＲＭ符号を用いるが、ＣＳＩ  ｐａｒｔ１又はＣＳＩ  ｐａｒｔ２＞１１  ｂｉｔの場合、Ｐｏｌａｒ符号（偏波符号）を用いる。
２）伝送可能なすべてのＣＳＩ報告のＣＳＩ  ｐａｒｔ１は、従来技術の規則に従って統一に符号化し、ＣＳＩ  ｐａｒｔ２は、従来技術の規則に従って統一に符号化する。ここで、従来技術の規則は、ＣＳＩ  ｐａｒｔ１とＣＳＩ  ｐａｒｔ２（もしあれば）がそれぞれ符号化し、且つ３  ｂｉｔ＜ＣＳＩ  ｐａｒｔ１又はＣＳＩ  ｐａｒｔ２＜１１  ｂｉｔの場合、ＲＭ符号を用いるが、ＣＳＩ  ｐａｒｔ１又はＣＳＩ  ｐａｒｔ２＞１１  ｂｉｔの場合、Ｐｏｌａｒ符号（偏波符号）を用いることを指す。
【００４７】
上記のように、本開示の実施例は、導入されているマルチＣＳＩ  ＰＵＣＣＨの一部の実施の細部を説明しており、ネットワーク通信の信頼性を保証することができる。
【００４８】
図２に示すように、本開示の実施例は、端末２００を提供する。端末２００は、物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得するための取得モジュール２０１と、少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てるための割り当てモジュール２０２と、前記一部又は全部の衝突ありＣＳＩ報告の伝送を行うための伝送モジュール２０３とを含む。
【００４９】
具体的には、前記割り当てモジュール２０２は、設定されている第１ＣＳＩ  ＰＵＣＣＨの個数Ｊに基づいて、選択可能な第１ＣＳＩ  ＰＵＣＣＨの個数上限Ｎを決定するための決定ユニットと、設定されているＪ個の第１ＣＳＩ  ＰＵＣＣＨからＭ個の第１ＣＳＩ  ＰＵＣＣＨを選択するための選択ユニットと、選択されたＭ個の第１ＣＳＩ  ＰＵＣＣＨに一部又は全部の衝突ありＣＳＩ報告を割り当てるための割り当てユニットとを含む。ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる。
【００５０】
選択可能に、前記割り当て規則は、同一の所定期間中に端末に少なくとも２つの第１ＣＳＩ  ＰＵＣＣＨが設定された場合、少なくとも１つの第１ＣＳＩ  ＰＵＣＣＨを選択して一部又は全部の衝突ありＣＳＩ報告の割り当てを行う。
【００５１】
更に、端末に設定されたＪ個の第１ＣＳＩ  ＰＵＣＣＨのリソースサイズが同じである場合、前記選択ユニットは、選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことに用いられる。
【００５２】
選択可能に、端末に設定された少なくとも２つの第１ＣＳＩ  ＰＵＣＣＨのリソースサイズが異なる場合、前記選択ユニットは、前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することに用いられ、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である。
【００５３】
具体的には、前記割り当てユニットは、ＣＳＩ報告優先度に基づいて、前記少なくとも２つのＣＳＩ報告を降順に並べて第１順序を得ることと、リソースサイズに基づいて、取得された前記Ｍ個の第１ＣＳＩ  ＰＵＣＣＨを降順に並べて第２順序を得ることと、前記第２順序で並べられた前記Ｍ個の第１ＣＳＩ  ＰＵＣＣＨに前記少なくとも２つのＣＳＩ報告を前記第１順序で順次に割り当てることを、少なくとも２つのＣＳＩ報告の割り当てが完了するまで、又は第１ＣＳＩ  ＰＵＣＣＨがすべて占有されるまで行うこととに用いられる。
【００５４】
選択可能に、前記端末は、第１ＣＳＩ  ＰＵＣＣＨの周期を取得するための周期取得モジュールを更に含む。ここで、前記周期は、ネットワーク機器によって指示されるか、又は前記少なくとも２つのＣＳＩ報告の周期の最小公倍数に基づいて端末によって決定される。ここで、前記周期がネットワーク機器によって指示される場合、前記周期の値は、無線リソース制御ＲＲＣで設定される前記少なくとも２つのＣＳＩ報告の所定情報の周期の最小値に基づいて決定される。又は、前記周期の値は、前記少なくとも２つのＣＳＩ報告の周期の最小公倍数に基づいてネットワーク機器によって決定される。ここで、前記所定情報は、周期的ＣＳＩ報告設定情報又は半持続的ＣＳＩ報告設定情報を含む。更に、前記割り当てモジュールは、前記周期と前記割り当て規則に基づいて、一部又は全部の衝突ありＣＳＩ報告を第１ＣＳＩ  ＰＵＣＣＨに割り当てることに用いられる。
【００５５】
具体的には、第１ＣＳＩ  ＰＵＣＣＨは、複数の異なる周期の第１ＣＳＩ  ＰＵＣＣＨを含む。
【００５６】
更に、前記一部又は全部の衝突ありＣＳＩ報告の伝送が行われる場合、前記端末は、第１ＣＳＩ  ＰＵＣＣＨがハイブリッド自動再送応答ＨＡＲＱ−ＡＣＫを搬送するＰＵＣＣＨと衝突すると、ＨＡＲＱ−ＡＣＫを前記第１ＣＳＩ  ＰＵＣＣＨで伝送するための第１実行モジュールと、前記第１ＣＳＩ  ＰＵＣＣＨが物理アップリンク共有チャネルＰＵＳＣＨと衝突すると、第１ＣＳＩ  ＰＵＣＣＨ上のＣＳＩ報告をＰＵＳＣＨで伝送するための第２実行モジュールと、前記第１ＣＳＩ  ＰＵＣＣＨがチャネルサウンディングリファレンスシグナルＳＲＳと衝突すると、第１ＣＳＩ  ＰＵＣＣＨによって搬送された情報、第１ＣＳＩ  ＰＵＣＣＨの周期特性、及びＳＲＳの周期特性に基づいて、第１ＣＳＩ  ＰＵＣＣＨ又はＳＲＳの伝送を決定するための第３実行モジュールとのうちの少なくとも１つを更に含む。
【００５７】
具体的には、前記少なくとも２つのＣＳＩ報告の符号化方式は、前記少なくとも２つのＣＳＩ報告を前記第１ＣＳＩ  ＰＵＣＣＨでそれぞれ符号化することと、前記少なくとも２つのＣＳＩ報告の第１部分を統一に符号化し、前記少なくとも２つのＣＳＩ報告の第２部分を統一に符号化することとのうちの少なくとも１つを含む。
【００５８】
具体的には、第１ＣＳＩ  ＰＵＣＣＨは、ＰＵＣＣＨで伝送されるＣＳＩ報告が衝突する場合に使用され、ＰＵＣＣＨ上で伝送されるＣＳＩ報告が衝突しない場合、第１ＣＳＩ  ＰＵＣＣＨが占有するリソースは、物理アップリンク共有チャネルＰＵＳＣＨ、チャネルサウンディングリファレンスシグナルＳＲＳ又は第１ＣＳＩ  ＰＵＣＣＨ以外の他のＰＵＣＣＨに割り当てられる。
【００５９】
なお、この端末の実施例は、上記の端末に応用されるチャネル状態情報報告の伝送方法に対応する端末であり、上記実施例のすべての実現形態がこの端末に実施例に適用し、同じ技術効果を奏することもできる。
【００６０】
図３は、本開示の実施例を実現する端末のハードウェア構造を示す図である。
【００６１】
この端末３０は、ラジオ周波数ユニット３１０と、ネットワークモジュール３２０と、音声出力ユニット３３０と、入力ユニット３４０と、センサ３５０と、表示ユニット３６０と、ユーザ入力ユニット３７０と、インタフェースユニット３８０と、メモリ３９０と、プロセッサ３１１と、電源３１２などの構成要素を含むが、これらに限定されない。図３に示される端末の構造は、端末を限定するものではなく、端末は、図示されるよりも多い又は少ない構成要素を含むことができ、又は一部の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００６２】
ここで、プロセッサ３１１は、物理アップリンク制御チャネルＰＵＣＣＨで伝送されるチャネル状態情報ＣＳＩ報告の割り当てルールであって、ネットワーク機器によって設定されるか又はプロトコルによって取り決められる前記割り当てルールを取得することと、少なくとも２つのＣＳＩ報告に衝突ありの場合、前記割り当てルールに従い、一部又は全部の衝突ありＣＳＩ報告を、一部又は全部の衝突ありＣＳＩ報告を伝送するための第１ＣＳＩ  ＰＵＣＣＨに割り当てることと、前記一部又は全部の衝突ありＣＳＩ報告の伝送を行うこととに用いられる。
【００６３】
本開示の実施例に係る端末は、物理アップリンク制御チャネルＰＵＣＣＨで伝送されるチャネル状態情報ＣＳＩ報告の割り当てルールを取得し、少なくとも２つのＣＳＩ報告に衝突ありの場合、前記割り当てルールに従い、一部又は全部の衝突ありＣＳＩ報告を第１ＣＳＩ  ＰＵＣＣＨに割り当て、前記一部又は全部の衝突ありＣＳＩ報告の伝送を行うことによって、単に各ＣＳＩ報告の優先度に従って破棄するのではなく、ネットワーク機器によって設定された複数のｍｕｌｔｉ−ＣＳＩ  ＰＵＣＣＨのうちの少なくとも１つに、衝突ありのＰＵＣＣＨに基づく複数のＣＳＩ報告を割り当て規則に従って正しく割り当てることができる。これにより、ネットワーク側で一部のＣＳＩ報告の取得に間に合わなかったり欠落したりすることをある程度回避することができ、従来技術ではＰＵＣＣＨに基づくＣＳＩ報告が複数衝突した場合にＣＳＩ報告を破棄することによって、ネットワーク側でＣＳＩ報告の取得に間に合わなかったり、ＣＳＩ報告が欠落したりするという問題を解決し、ネットワーク通信の信頼性を保証する。
【００６４】
なお、本開示の実施例において、ラジオ周波数ユニット３１０は、情報の送受信又は通話中で信号の送受信に用いられ、具体的に、ネットワーク機器からの下りデータを受信した後、プロセッサ３１１による処理に供し、また、上りデータをネットワーク機器に送信する。一般に、ラジオ周波数ユニット３１０は、アンテナ、少なくとも１つの増幅器、トランシーバ、結合器、低雑音増幅器、デュプレクサなどを含むが、それらに限定されない。また、ラジオ周波数ユニット３１０は、無線通信システムを介してネットワークや他の機器と通信を行うこともできる。
【００６５】
端末は、ネットワークモジュール３２０を介して、電子メールの送受信、ウェブページの閲覧、ストリーミングメディアへのアクセスを支援するなど、無線ブロードバンドインターネットアクセスをユーザに提供する。
【００６６】
音声出力ユニット３３０は、ラジオ周波数ユニット３１０やネットワークモジュール３２０が受信した音声データや、メモリ３９０に記憶された音声データを音声信号に変換して音声として出力することができる。また、音声出力ユニット３３０は、端末３０が実行する特定の機能に関する音声（例えば、呼出信号着信音、メッセージ着信音等）を出力してもよい。音声出力ユニット３３０は、スピーカ、ブザー及びレシーバなどを含む。
【００６７】
入力ユニット３４０は、音声や映像の信号を受信することに用いられる。入力ユニット３４０は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３４１と、マイク３４２とを含む。処理された画像フレームは、表示ユニット３６０上に表示される。グラフィックスプロセッサ３４１で処理された画像フレームは、メモリ３９０（又は他の記憶媒体）に記憶されるか、又はラジオ周波数ユニット３１０又はネットワークモジュール３２０を介して送信される。マイク３４２は、音声を受信し、音声データに加工することができる。処理された音声データは、電話通話モードの場合、ラジオ周波数ユニット３１０を介して移動体通信基地局に送信可能な形式に変換して出力することができる。
【００６８】
端末３０は、光センサ、モーションセンサ及び他のセンサのような少なくとも１つのセンサ３５０を更に含む。具体的には、光センサは、周辺光センサ及び近接センサを含む。周辺光センサは、周辺光の明暗に応じて表示パネル３６１の輝度を調節し、近接センサは、端末３０が耳に移動したときに表示パネル３６１及び／又はバックライトを消灯する。モーションセンサの１種として、加速度計センサは、様々な方向（一般的には３軸）の加速度の大きさを検出でき、静止時は重力の大きさ及び方向を検出でき、端末の姿勢の認識（例えば、縦横画面切替、関連ゲーム、磁力計姿勢キャリブレーション）、振動認識関連機能（たとえば、歩数計、ストローク）などに用いることができる。センサ３５０は、指紋センサ、圧力センサ、虹彩センサ、分子センサ、ジャイロスコープ、気圧計、湿度計、温度計、赤外線センサなどを更に含むことができるが、ここでは枚挙しない。
【００６９】
表示ユニット３６０は、ユーザが入力した情報やユーザに提供した情報を表示するために用いられる。表示ユニット３６０は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３６１を含んでもよい。
【００７０】
ユーザ入力ユニット３７０は、数字や文字情報の入力を受け付け、ユーザによる端末の設定や機能制御に関するキー信号の入力を行うことに用いられる。具体的に、ユーザ入力ユニット３７０は、タッチパネル３７１と、その他の入力機器３７２とを含む。タッチパネル３７１は、タッチスクリーンとも呼ばれ、その上又は付近でのユーザのタッチ操作を取得可能である（たとえばユーザが指やスタイラスなどの任意の適切な物体や付属部材を用いたタッチパネル３７１の上又はタッチパネル３７１の付近での操作）。タッチパネル３７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１１に送り、プロセッサ３１１からの命令を受信して実行する。なお、タッチパネル３７１は、抵抗膜式、静電容量式、赤外線、表面弾性波など、種々の方式を用いて実現することができる。ユーザ入力ユニット３７０は、タッチパネル３７１の他に、他の入力機器３７２を含んでもよい。具体的に、他の入力機器３７２は、物理的なキーボード、機能キー（例えば、音量調節キー、スイッチキーなど）、トラックボール、マウス、レバーを含むが、ここでは枚挙しない。
【００７１】
更に、タッチパネル３７１は、表示パネル３６１に重ねられる。タッチパネル３７１は、その上又はその近くでタッチ操作を検出すると、プロセッサ３１１に送信して、タッチイベントのタイプを決定する。次いで、プロセッサ３１１は、タッチイベントのタイプに応じて、対応する視覚的出力を表示パネル３６１に提供する。図３では、タッチパネル３７１と表示パネル３６１は、独立した２つの部品として端末の入出力機能を実現するが、実施例によっては、タッチパネル３７１と表示パネル３６１を一体化して端末の入出力機能を実現することもでき、具体的にここでは限定しない。
【００７２】
インタフェースユニット３８０は、外部装置と端末３０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット３８０は、外部装置から入力（たとえば、データ情報、電力など）を受信し、受信した入力を端末３０内の１つ以上の要素に伝送するために使用されてもよく、又は端末３０と外部装置との間でデータを伝送するために使用されてもよい。
【００７３】
メモリ３９０は、ソフトウェアプログラム及び様々なデータを格納するために使用される。メモリ３９０は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ３９０は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【００７４】
プロセッサ３１１は、端末の制御センタであり、各種インタフェースや回線を用いて端末全体の各部を接続し、メモリ３９０に格納されたソフトウェアプログラム及び／又はモジュールを実行、メモリ３９０に格納されたデータを呼び出して端末の各種機能及び処理データを実行し、端末全体の監視を行う。プロセッサ３１１は、１つ以上の処理ユニットを含んでもよい。選択可能に、プロセッサ３１１は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１１に統合されなくてもよいことが理解される。
【００７５】
端末３０は、各構成要素に電力を供給するためのバッテリのような電源３１２を更に含んでもよい。選択可能に、電源３１２は、電源管理システムを介してプロセッサ３１１に論理的に接続されてもよく、電源管理システムを介して充電、放電、及び消費電力管理などを管理する機能を実現してもよい。
【００７６】
また、端末３０は、図示しない機能モジュールを更に含んでもよく、ここでの説明は省略する。
【００７７】
選択可能に、本開示の実施例は、プロセッサ３１１と、メモリ３９０と、メモリ３９０に記憶され、前記プロセッサ３１１で動作可能なコンピュータプログラムを含む端末を更に提供し、このコンピュータプログラムがプロセッサ３１１によって実行されると、端末側に応用されるチャネル状態情報報告の伝送方法の実施例の各プロセスが実現され、且つ同じ技術効果を達成することができるので、重複を避けるためにここでは繰り返して記載しない。
【００７８】
本開示の実施例は、コンピュータプログラムが記憶されているコンピュータ読み取り可能な記憶媒体を更に提供し、このコンピュータプログラムがプロセッサによって実行されると、端末側に応用されるチャネル状態情報報告の伝送方法の実施例の各プロセスが実現され、且つ同じ技術効果を達成することができるので、重複を避けるためにここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【００７９】
更に、複数のＣＳＩ報告が衝突した場合、各ＣＳＩ報告の優先度に従って破棄することは、ネットワーク側で一部のＣＳＩ報告の取得に間に合わなかったり欠落したりする可能性がある。このような衝突ありＣＳＩ報告が、より大きなリソースを含むＰＵＳＣＨで伝送される場合、単に破棄されるのではなく、複数のＣＳＩ報告の伝送が可能である。
【００８０】
チャネル状態情報（ＣＳＩ）報告は、一般に、以下のように設定される。
１）周期的ＣＳＩ報告（Ｐ−ＣＳＩ）：ＰＵＣＣＨのみで伝送される。
２）半持続的ＣＳＩ報告（ＳＰ−ＣＳＩ）：ＰＵＣＣＨ又はＰＵＳＣＨで伝送される。
３）非周期的ＣＳＩ報告（ＡＰ−ＣＳＩ）：ＰＵＳＣＨのみで伝送される。
【００８１】
優先度の規定では、同一搬送波で２つのＣＳＩ報告に使用されるＰＵＣＣＨリソースが時間領域で少なくとも１つのＯＦＤＭシンボルで重なる場合、この２つのＣＳＩ報告が衝突する。各ＣＳＩ報告は、１つの優先度値に対応し、ＣＳＩ報告の衝突が発生する場合や、上り伝送リソースが限られている場合、端末は、優先度値が高い（又は低い）一部のＣＳＩ報告を送信しない。
【００８２】
規則１：時間領域挙動／チャネルタイプ（ＡＰ−ＣＳＩ＞ＳＰ−ＣＳＩ  ｏｎ  ＰＵＳＣＨ＞ＳＰ−ＣＳＩ  ｏｎ  ＰＵＣＣＨ＞Ｐ−ＣＳＩ）に基づく。
規則２〜４：ＰＵＣＣＨに基づいて伝送するＰ−ＣＳＩとＳＰ−ＣＳＩのみに適用する。
規則２：ＣＳＩコンテンツ（Ｂｅａｍ  ｒｅｐｏｒｔｓ＞ＣＳＩ）。
規則３：ｃｅｌｌＩＤ（ＰＣｅｌｌ＞ＰＳＣｅｌｌ＞昇順に並べられた他のｃｅｌｌ  ＩＤ）。
規則４：ｃｓｉＲｅｐｏｒｔＩＤ（昇順で並べられる）。
【００８３】
ＣＳＩ報告は、Ｔｙｐｅ  ＩとＴｙｐｅ  ＩＩとに分けられる。
１）Ｔｙｐｅ  ＩのＣＳＩ報告は、最大で２つの部分に分けられる。
Ｐａｒｔ１は、ＲＩ／ＣＲＩ、第１コードワードのＣＱＩを含む。
Ｐａｒｔ２は、ＰＭＩ、及びＲＩ＞４の場合に第２コードワードのＣＱＩを含む。
２）Ｔｙｐｅ  ＩＩのＣＳＩ報告は、最大で２つの部分に分けられる。
Ｐａｒｔ１は、Ｐａｒｔ２のビット長を示す固定ペイロード長を有し、ＲＩ、ＣＱＩ及びレイヤ当たり非ゼロ広帯域振幅係数の数を含む。
Ｐａｒｔ２は、Ｔｙｐｅ  ＩＩのＰＭＩを含む。
【００８４】
Ｔｙｐｅ  ＩとＴｙｐｅ  ＩＩのＣＳＩ報告の他に、ビーム管理のためのビーム情報報告「ＣＲＩ／ＲＳＲＰ」と「ＳＳＢＲＩ／ＲＳＲＰ」などがあり、このときのＣＳＩ報告は、１つの部分しかない。
【００８５】
物理アップリンク共有チャネル（ＰＵＳＣＨ）上のＣＳＩ報告が２つの部分（Ｐａｒｔ１及びＰａｒｔ２）を含むとき、端末は、Ｐａｒｔ２の内容の一部を破棄して報告しなくてもいい。１スロット内で全部でＮ個のＣＳＩ報告があり、Ｎは、対応する設定報告（ＲｅｐｏｒｔＣｏｎｆｉｇ）に含まれるＣＳＩ報告数である。ＰＵＳＣＨで報告されたＣＳＩが上りデータと同時に伝送され、且つＰＵＳＣＨ空間に完全なＣＳＩ報告内容を収納できない場合、Ｐａｒｔ２のＣＳＩ部分内容は、段階的に破棄される。破棄の優先度として、優先度０は、最も高い優先度であり、すなわち優先的に送信されるＣＳＩ報告内容であり、優先度２Ｎは、最も低い優先度であり、すなわち最初に破棄されるＣＳＩ報告内容である。破棄の際に、優先度層のＣＳＩ報告内容を一括して破棄する。
【００８６】
ＣＳＩ報告を伝送するＰＵＣＣＨが上りデータを伝送するＰＵＳＣＨと衝突する場合、ＰＵＣＣＨのＣＳＩ報告は、ＰＵＳＣＨに乗せて（ｐｉｇｇｙｂａｃｋ）伝送される。このときＰＵＳＣＨのＣＳＩ報告の符号化方式とＣＳＩ報告の破棄方式は、以前のＰＵＣＣＨと一致する。
【００８７】
従来技術のプロトコルは、ＰＵＳＣＨでＣＳＩ報告と上りデータが送信される際にリソースをどのように割り当てるか、及びＣＳＩ報告のマッピング位置などの規則を規定している。
【００８８】
従来技術のＣＳＩ報告の衝突に関する処理では、端末が２つの衝突ありＣＳＩ報告を送信するように設定されている場合、優先度の値が高いＣＳＩ報告（すなわち、優先度の低いＣＳＩ報告に対応する）を端末が送信しないようにするという規則が適用される。
【００８９】
しかし、ＰＵＳＣＨでＣＳＩ報告を伝送するためのリソースが大きく、より多くのＣＳＩ報告が伝送される場合がある。単にＣＳＩ報告を破棄するのではない。
【００９０】
以下の場合、ＣＳＩ報告は、衝突しかつＰＵＳＣＨで伝送される。
１）ＰＵＳＣＨに基づくＡＰ−ＣＳＩ報告は、ＰＵＳＣＨに基づくＳＰ−ＣＳＩ報告と衝突する。
２）ＰＵＳＣＨに基づくＡＰ−ＣＳＩ報告は、上り共有チャネル（ＵＬ−ＳＣＨ）とともに同一のＰＵＳＣＨで伝送される。
３）ＰＵＳＣＨに基づくＳＰ−ＣＳＩ報告は、ＵＬ−ＳＣＨとともに同一のＰＵＳＣＨで伝送される。
４）ＰＵＣＣＨに基づくＰ−ＣＳＩ報告又はＳＰ−ＣＳＩ報告は、ＰＵＳＣＨに基づくＡＰ−ＣＳＩ報告又はＳＰ−ＣＳＩ報告と衝突する。
５）ＰＵＣＣＨに基づくＰ−ＣＳＩ報告又はＳＰ−ＣＳＩ報告がＵＬ−ＳＣＨをスケジューリングするＰＵＳＣＨと衝突する場合、ＰＵＣＣＨのＰ−ＣＳＩ報告又はＳＰ−ＣＳＩ報告は、ＰＵＳＣＨに乗せて伝送される。
６）ＰＵＣＣＨに基づくＰ−ＣＳＩ報告又はＳＰ−ＣＳＩ報告は、ＰＵＳＣＨに基づくＡＰ−ＣＳＩ報告又はＳＰ−ＣＳＩ報告とＵＬ−ＳＣＨとを含むＰＵＳＣＨと衝突する。
【００９１】
従来技術では、複数のＣＳＩ報告（すなわち少なくとも２つのＣＳＩ報告）が衝突すると、各ＣＳＩ報告の優先度に従って破棄されるため、ネットワーク側で一部のＣＳＩ報告の取得に間に合わなかったり欠落したりする可能性がある。このような衝突ＣＳＩ報告が、より大きなリソースを含むＰＵＳＣＨで伝送される場合、単に破棄されるのではなく、複数のＣＳＩ報告が伝送される。
【００９２】
Ｋ（Ｋ＞１）個のＣＳＩ報告（ＰＵＣＣＨに基づくＣＳＩ報告及び／又はＰＵＳＣＨに基づくＣＳＩ報告を含み、すなわち、少なくとも２つのＣＳＩ報告を含む）が衝突する場合、且つＰＵＳＣＨで伝送する場合の処理方法は、以下の方法を含む。
【００９３】
方式１：
従来技術の優先度規則に従って、少なくとも２つのＣＳＩ報告のうち最も優先度の高い１つのＣＳＩ報告を送信し、他のＣＳＩ報告を破棄する。ＰＵＳＣＨでこのＣＳＩ報告を伝送するためのリソースサイズを確定し、所定規則に従って、この最も優先度の高いＣＳＩ報告をＰＵＳＣＨ上の対応する時間周波数位置にマッピングして送信する。なお、この所定規則は、リソースサイズに従って優先度を並べることであり、並べ終わった後に、最も優先度の高いＣＳＩ報告をＰＵＳＣＨ上の対応する時間周波数位置にマッピングする。
【００９４】
方式２：
Ｘ（Ｘ≦Ｋ）個の高優先度のＣＳＩ報告を選択してＰＵＳＣＨ上の対応する時間周波数位置にマッピングして送信する。すなわち、衝突ありの少なくとも２つのＣＳＩ報告のうち、ＣＳＩ報告の優先度の高い順に、衝突ありの少なくとも２つのＣＳＩ報告のうちの一部又は全部のＣＳＩ報告を選択する。
【００９５】
具体的な実現方式は、以下の方式のうちの少なくとも１つを含む。
【００９６】
１）伝送される各ＣＳＩ報告に必要なリソースのサイズ、及びＰＵＳＣＨ上でＣＳＩ報告の伝送に利用可能なリソースサイズを確定し、ＰＵＳＣＨ上でＣＳＩ報告の伝送に利用可能なリソースにＸ（Ｘ≦Ｋ）個のＣＳＩ報告を割り当てる。なお、ＰＵＣＣＨに基づくＣＳＩ報告は、ＰＵＳＣＨで伝送される場合もＰＵＣＣＨの符号化方式に従って符号化される。
【００９７】
２）Ｋ個の優先度の高いＣＳＩ報告を、ＰＵＳＣＨでＣＳＩ報告に割り当てられるリソースに割り当て、すなわちＫ個の優先度の高いＣＳＩ報告をＰＵＳＣＨのリソースに割り当てる（具体的には、優先度順（ＣＳＩ報告の優先度順）に従って割り当て、優先度値の決定は、従来技術の結論に従う。）。具体的な実現は、以下の方式のうちの少なくとも１つを採用する。
【００９８】
方式１：優先度の低い各ＣＳＩ報告全体（ｐａｒｔ１とｐａｒｔ２を含む）は、上り制御情報（ＵＣＩ）の符号化率が符号化率閾値を下回るまで破棄される。
【００９９】
各ＣＳＩ報告の符号化率を算出し、符号化率閾値と比較し、報告の符号化率が符号化率閾値よりも大きい場合、優先度の低いＣＳＩ報告を破棄する。これにより、伝送可能な各ＣＳＩ報告の符号化率が符号化率閾値を下回るまで破棄が行われる。
【０１００】
方式２：まず優先度に従ってＣＳＩ報告のｐａｒｔ１の破棄を決定し、次にｐａｒｔ２の破棄を決定する。なお、１つのＣＳＩ報告のＰａｒｔ１が破棄されると、その対応するｐａｒｔ２も破棄される。１つのＣＳＩ報告のＰａｒｔ１が送信される場合、その対応するＰａｒｔ２は、従来技術の方法に基づいて段階的に破棄される。
【０１０１】
具体的には、ｐａｒｔ１の破棄が行われる場合、各ＣＳＩ  ｐａｒｔ１の符号化率を算出し、符号化率閾値１と比較する。符号化率閾値１よりも大きい場合、伝送可能な各ＣＳＩ  ｐａｒｔ１の符号化率（又はすべてのＣＳＩ  ｐａｒｔ１の符号化率）が符号化率閾値１を下回るまで、１つの低優先度のＣＳＩ報告のｐａｒｔ１を破棄する必要がある。ｐａｒｔ２の破棄が行われる場合、伝送可能なＣＳＩ  ｐａｒｔ１に対応する各ＣＳＩ  ｐａｒｔ２の符号化率を算出し、符号化率閾値２と比較する。符号化率閾値２よりも大きい場合、優先度の低いＣＳＩ  ｐａｒｔ２の一部を破棄する必要がある。伝送可能な各ＣＳＩ  ｐａｒｔ２の符号化率（又はすべてのＣＳＩ  ｐａｒｔ１の符号化率）が符号化率閾値２を下回るまで破棄が行われる。
【０１０２】
なお、上記の実施例は、単にＣＳＩ報告を破棄するのではなく、場合によっては複数のＣＳＩ報告が衝突してＰＵＳＣＨで伝送される場合に、リソースが多いという長所を利用してより多くのＣＳＩ報告を伝送することを解決し、ネットワーク通信の信頼性を保証する。
【０１０３】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2021514598.tif 000003
【図２】
2021514598.tif 000004
【図３】
2021514598.tif 000005
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
端末に応用されるチャネル状態情報報告の伝送方法であって、
物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得することと、
少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てることと、
前記一部又は全部の衝突ありＣＳＩ報告の伝送を行うこととを含む、チャネル状態情報報告の伝送方法。
【請求項２】
前記一部又は全部のＣＳＩ報告に必要なリソースを収納できる最小リソースサイズを有する一つの第１ＣＳＩ  ＰＵＣＣＨを取得することをさらに含み、
前記割り当て規則に従い、一部又は全部の衝突ありＣＳＩ報告を第１ＣＳＩ  ＰＵＣＣＨに割り当てることは、
取得された場合、取得された第１ＣＳＩ  ＰＵＣＣＨに一部又は全部の衝突ありＣＳＩ報告を割り当てることと、
取得されなかった場合、ＣＳＩ報告順に従って、リソースサイズが最大であるＭ個の第１ＣＳＩ  ＰＵＣＣに一部又は全部の衝突ありＣＳＩ報告を割り当てることと、を含み、
ここで、Ｍは、１以上の整数であり、前記Ｍ個の第１ＣＳＩ  ＰＵＣＣＨは、設定されているＪ個の第１ＣＳＩ  ＰＵＣＣＨから選択されたものである、請求項１に記載の伝送方法。
【請求項３】
前記割り当て規則に従い、一部又は全部の衝突ありＣＳＩ報告を第１ＣＳＩ  ＰＵＣＣＨに割り当てることは、
設定されている第１ＣＳＩ  ＰＵＣＣＨの個数Ｊに基づいて、選択可能な第１ＣＳＩ  ＰＵＣＣＨの個数上限Ｎを決定することと、
設定されているＪ個の第１ＣＳＩ  ＰＵＣＣＨからＭ個の第１ＣＳＩ  ＰＵＣＣＨを選択することと、
選択されたＭ個の第１ＣＳＩ  ＰＵＣＣＨに一部又は全部の衝突ありＣＳＩ報告を割り当てることとを含み、
ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる、請求項１に記載の伝送方法。
【請求項４】
端末に設定されたＪ個の第１ＣＳＩ  ＰＵＣＣＨのリソースサイズが同じである場合、選択されたＭ個の第１ＣＳＩ  ＰＵＣＣＨに一部又は全部の衝突ありＣＳＩ報告を割り当てることは、
選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことを含む、請求項３に記載の伝送方法。
【請求項５】
端末に設定された少なくとも２つの第１ＣＳＩ  ＰＵＣＣＨのリソースサイズが異なる場合、設定されているＪ個の第１ＣＳＩ  ＰＵＣＣＨからＭ個の第１ＣＳＩ  ＰＵＣＣＨを選択することは、
前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することを含み、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である、請求項３に記載の伝送方法。
【請求項６】
選択されたＭ個の第１ＣＳＩ  ＰＵＣＣＨに一部又は全部の衝突ありＣＳＩ報告を割り当てることは、
ＣＳＩ報告優先度に基づいて、前記少なくとも２つのＣＳＩ報告を降順に並べて第１順序を得ることと、
リソースサイズに基づいて、取得された前記Ｍ個の第１ＣＳＩ  ＰＵＣＣＨを降順に並べて第２順序を得ることと、
前記第２順序で並べられた前記Ｍ個の第１ＣＳＩ  ＰＵＣＣＨに前記少なくとも２つのＣＳＩ報告を前記第１順序で順次に割り当てることを、少なくとも２つのＣＳＩ報告の割り当てが完了するまで、又は第１ＣＳＩ  ＰＵＣＣＨがすべて占有されるまで行うこととを含む、請求項５に記載の伝送方法。
【請求項７】
一部又は全部の衝突ありＣＳＩ報告を第１ＣＳＩ  ＰＵＣＣＨに割り当てる前に、
第１ＣＳＩ  ＰＵＣＣＨの周期を取得することを更に含み、
ここで、前記周期は、ネットワーク機器によって指示されるか、又は前記少なくとも２つのＣＳＩ報告の周期の最小公倍数に基づいて端末によって決定され、
ここで、前記周期がネットワーク機器によって指示される場合、前記周期の値は、無線リソース制御ＲＲＣで設定される前記少なくとも２つのＣＳＩ報告の所定情報の周期の最小値に基づいて決定され、又は、
前記周期の値は、前記少なくとも２つのＣＳＩ報告の周期の最小公倍数に基づいてネットワーク機器によって決定され、
ここで、前記所定情報は、周期的ＣＳＩ報告設定情報又は半持続的ＣＳＩ報告設定情報を含み、
更に、前記割り当て規則に従い、一部又は全部の衝突ありＣＳＩ報告を第１ＣＳＩ  ＰＵＣＣＨに割り当てることは、
前記周期と前記割り当て規則に基づいて、一部又は全部の衝突ありＣＳＩ報告を第１ＣＳＩ  ＰＵＣＣＨに割り当てることを含む、請求項１に記載の伝送方法。
【請求項８】
前記一部又は全部の衝突ありＣＳＩ報告の伝送が行われる場合、
第１ＣＳＩ  ＰＵＣＣＨがハイブリッド自動再送応答ＨＡＲＱ−ＡＣＫを搬送するＰＵＣＣＨと衝突すると、ＨＡＲＱ−ＡＣＫを前記第１ＣＳＩ  ＰＵＣＣＨで伝送するステップと、
前記第１ＣＳＩ  ＰＵＣＣＨが物理アップリンク共有チャネルＰＵＳＣＨと衝突すると、第１ＣＳＩ  ＰＵＣＣＨ上のＣＳＩ報告をＰＵＳＣＨで伝送するステップと、
前記第１ＣＳＩ  ＰＵＣＣＨがチャネルサウンディングリファレンスシグナルＳＲＳと衝突すると、第１ＣＳＩ  ＰＵＣＣＨによって搬送された情報、第１ＣＳＩ  ＰＵＣＣＨの周期特性、及びＳＲＳの周期特性に基づいて、第１ＣＳＩ  ＰＵＣＣＨ又はＳＲＳの伝送を決定するステップとのうちの少なくとも１つを更に含む、請求項１又は７に記載の伝送方法。
【請求項９】
前記少なくとも２つのＣＳＩ報告の符号化方式は、
前記少なくとも２つのＣＳＩ報告を前記第１ＣＳＩ  ＰＵＣＣＨでそれぞれ符号化することと、
前記少なくとも２つのＣＳＩ報告の第１部分を統一に符号化し、前記少なくとも２つのＣＳＩ報告の第２部分を統一に符号化することとのうちの少なくとも１つを含む、請求項１に記載の伝送方法。
【請求項１０】
第１ＣＳＩ  ＰＵＣＣＨは、ＰＵＣＣＨで伝送されるＣＳＩ報告が衝突する場合に使用され、
ＰＵＣＣＨ上で伝送されるＣＳＩ報告が衝突しない場合、第１ＣＳＩ  ＰＵＣＣＨが占有するリソースは、物理アップリンク共有チャネルＰＵＳＣＨ、チャネルサウンディングリファレンスシグナルＳＲＳ又は第１ＣＳＩ  ＰＵＣＣＨ以外の他のＰＵＣＣＨに割り当てられる、請求項１又は７に記載の伝送方法。
【請求項１１】
物理アップリンク制御チャネルＰＵＣＣＨで伝送されるチャネル状態情報ＣＳＩ報告の割り当て規則であって、ネットワーク機器によって設定されるか又はプロトコルによって取り決められる前記割り当て規則を取得するための取得モジュールと、
少なくとも２つのＣＳＩ報告に衝突ありの場合、前記割り当て規則に従い、一部又は全部の衝突ありＣＳＩ報告を、一部又は全部の衝突ありＣＳＩ報告を伝送するための第１ＣＳＩ  ＰＵＣＣＨに割り当てるための割り当てモジュールと、
前記一部又は全部の衝突ありＣＳＩ報告の伝送を行うための伝送モジュールとを含む、端末。
【請求項１２】
前記割り当てモジュールは、
前記一部又は全部のＣＳＩ報告に必要なリソースを収納できる最小リソースサイズを有する一つの第１ＣＳＩ  ＰＵＣＣＨを取得することと、
取得された場合、取得された第１ＣＳＩ  ＰＵＣＣＨに一部又は全部の衝突ありＣＳＩ報告を割り当てることと、
取得されなかった場合、ＣＳＩ報告順に従って、リソースサイズが最大であるＭ個の第１ＣＳＩ  ＰＵＣＣに一部又は全部の衝突ありＣＳＩ報告を割り当てることとに用いられ、
ここで、Ｍは、１以上の整数であり、前記Ｍ個の第１ＣＳＩ  ＰＵＣＣＨは、設定されているＪ個の第１ＣＳＩ  ＰＵＣＣＨから選択されたものである、請求項１１に記載の端末。
【請求項１３】
前記割り当てモジュールは、
設定されている第１ＣＳＩ  ＰＵＣＣＨの個数Ｊに基づいて、選択可能な第１ＣＳＩ  ＰＵＣＣＨの個数上限Ｎを決定するための決定ユニットと、
設定されているＪ個の第１ＣＳＩ  ＰＵＣＣＨからＭ個の第１ＣＳＩ  ＰＵＣＣＨを選択するための選択ユニットと、
選択されたＭ個の第１ＣＳＩ  ＰＵＣＣＨに一部又は全部の衝突ありＣＳＩ報告を割り当てるための割り当てユニットとを含み、
ここで、Ｊは、１以上の整数であり、Ｎは、１以上且つＪ以下の整数であり、Ｍは、１以上且つＮ以下の整数であり、Ｊ、Ｎ及びＭの少なくとも１つは、ネットワーク機器によって設定されるか又はプロトコルによって取り決められる、請求項１１に記載の端末。
【請求項１４】
端末に設定されたＪ個の第１ＣＳＩ  ＰＵＣＣＨのリソースサイズが同じである場合、前記選択ユニットは、
選択されたＭ個の第１ＣＳＩ  ＰＵＣＣＨに前記少なくとも２つのＣＳＩ報告を優先度の高い順に順次に割り当てることを、少なくとも２つのＣＳＩ報告の割り当てが完了するまで、又は選択されたＭ個の第１ＣＳＩ  ＰＵＣＣＨがすべて占有されるまで行うことに用いられる、請求項１３に記載の端末。
【請求項１５】
端末に設定された少なくとも２つの第１ＣＳＩ  ＰＵＣＣＨのリソースサイズが異なる場合、前記選択ユニットは、
前記少なくとも２つのＣＳＩ報告に必要なリソースを満たすＭ個の第１ＣＳＩ  ＰＵＣＣＨを、設定されているＪ個の第１ＣＳＩ  ＰＵＣＣＨから選択することに用いられ、且つ前記Ｍ個の第１ＣＳＩ  ＰＵＣＣＨのリソースサイズの合計は、前記少なくとも２つのＣＳＩ報告に必要なリソースよりも大きく、且つ前記少なくとも２つのＣＳＩ報告に必要なリソースに最も近く、且つ前記Ｍの値は、必要なリソースを満たす個数のうちで最も小さい個数である、請求項１３に記載の端末。
【国際調査報告】
2021514598.tif 000006
2021514598.tif 000007
2021514598.tif 000008
2021514598.tif 000009